(57)【要約】【課題】  遊技メダルの投入作業を容易なものにすることができ、遊技者の手が汚れることを抑えることができ、また、上昇投入皿は、隣の遊技機の扉を開放したときに邪魔にならない等のメダル貸し出し機等を提供する。【解決手段】  前記メダル自動投入装置(205)は、上昇投入皿(230)と、上昇投入口(270)と、上昇装置(220)と、上昇メダル排出口(210)と、投入移送通路(80)とを備え、上昇投入皿(230)を、前記メダル貸し出し機(200)に対して脱着自在に形成したことを特徴とする。【選択図】    図１
2005185820.tif 000002
【特許請求の範囲】
【請求項１】
遊技メダルをメダル投入口に投入することを条件として遊技を開始する複数の遊技機の間に配置して遊技メダルを遊技者に貸し出すためのメダル貸し出し機において、
前記メダル貸し出し機は、前記メダル貸し出し機から払い出された遊技メダルを、前記遊技機の前記メダル投入口へ投入するためのメダル自動投入装置を備え、
前記メダル自動投入装置は、
前記メダル貸し出し機の下部の手前側に設けられ、遊技メダルを受けるための上昇投入皿と、
前記メダル貸し出し機の下部に形成され、前記上昇投入皿に投入された遊技メダルを前記メダル貸し出し機の本体内部に投入するための上昇投入口と、
前記上昇投入口から投入された遊技メダルを上方に移送するための上昇装置と、
前記メダル貸し出し機の上部外側に面して前記上昇装置で上昇させた遊技メダルを外部に排出するための上昇メダル排出口と、
前記上昇メダル排出口から排出された遊技メダルを、前記メダル投入口に移送するための投入移送通路とを備え、
前記上昇投入皿を、前記メダル貸し出し機に対して脱着自在に形成したことを特徴とするメダル貸し出し機。
【請求項２】
前記上昇投入皿を、前記遊技機の下部に位置して、遊技機内から払い出される遊技メダルを受ける払い出しメダル皿に隣接して形成したことを特徴とする請求項１記載のメダル貸し出し機。
【請求項３】
前記上昇投入皿及び前記払い出しメダル皿の間には、前記払い出しメダル皿から前記貸し出しメダル皿へ遊技メダルを移送するための貸し出し移送部を備え、
前記貸し出し移送部は、前記払い出しメダル皿と、前記貸し出しメダル皿との間を連通する貸し出し移送連通路を備えたことを特徴とする請求項２に記載のメダル貸し出し機。
【請求項４】
遊技媒体を遊技媒体投入口に投入することを条件として遊技を開始する複数の遊技機の間に配置して遊技媒体を遊技者に貸し出すための遊技媒体貸し出し機において、
前記遊技媒体貸し出し機は、前記遊技媒体貸し出し機から払い出された遊技媒体を、前記遊技機の前記遊技媒体投入口へ投入するための遊技媒体自動投入装置を備え、
前記遊技媒体自動投入装置は、
前記遊技媒体貸し出し機の下部の手前側に設けられ、遊技媒体を受けるための上昇投入皿と、
前記遊技媒体貸し出し機の下部に形成され、前記上昇投入皿に投入された遊技媒体を前記遊技媒体貸し出し機の本体内部に投入するための上昇投入口と、
前記上昇投入口から投入された遊技媒体を上方に移送するための上昇装置と、
前記遊技媒体貸し出し機の上部外側に面して前記上昇装置で上昇させた遊技媒体を外部に排出するための上昇遊技媒体排出口と、
前記上昇遊技媒体排出口から排出された遊技媒体を、前記遊技媒体投入口に移送するための投入移送通路とを備え、
前記上昇投入皿を、前記遊技媒体貸し出し機に対して脱着自在に形成したことを特徴とする遊技媒体貸し出し機。
【発明の詳細な説明】
【技術分野】
【０００１】
この発明は、スロットマシン等の遊技機に隣接して遊技メダルの貸し出しが可能なメダル貸し出し機や、パロット等の遊技機に隣接して遊技媒体の貸し出しが可能な遊技媒体貸し出し機に関するものである。
【背景技術】
【０００２】
従来、例えば、スロットマシン等の遊技機を設置する遊技ホールにおいて、遊技者が遊技に用いる遊技メダルを借り受けるために、スロットマシンの側方に設置されたメダル貸し出し機の紙幣投入口に所定の金額の紙幣を投入すると、これに応じて所定枚数の遊技メダルがメダル貸し出し機の本体前面に設けられたメダル払い出し口より払い出される。このように、遊技メダルを貸し出すメダル貸し出し機がスロットマシンの側方に設置されることで、遊技者は席を立たなくても、メダル貸し出し機から払い出された遊技メダルを用いてスロットマシンで遊技を行うことができて、遊技者が遊技を中断する時間を短くすることができる。また、遊技場の運営者にとっては、メダル貸し出し機をスロットマシンの側方に設置することによって、遊技者の時間当たりの遊技回数が増加することは収益の増加につながる。
【０００３】
そして、従来のメダル貸し出し機のメダル払い出し口には払い出された遊技メダルを受ける貸し出しメダル皿が設けられているものが多く、払い出された遊技メダルはこの貸し出しメダル皿に貯留するようになっている。この場合、遊技者は貸し出しメダル皿に貸し出された遊技メダルを手で取り出して、直接、メダル投入口へ投入したり、或いは、遊技者が遊技を行うスロットマシンの前面に設けられた払い出しメダル皿内部に貯留等していた。そして、遊技を行うときに、かかる遊技機の払い出しメダル皿内部の遊技メダルを手で掴んで、遊技機のメダル投入口に投入して遊技を行っていた。一般的に、スロットマシンの払い出しメダル皿は、スロットマシンの下部に配置され、メダル投入口は、高さ方向の略中央付近に設けられている。このため、遊技者は、下方の払い出しメダル皿内部の遊技メダルを、手で掴んで上方まで持ち上げてメダル投入口へ投入する動作を何回も繰り返し行っていた。したがって、メダル貸し出し機に紙幣を投入してから遊技を行うまでには手間を要し、また、遊技メダルに手を触れることで手が汚れてしまうことがあった。
【０００４】
そこで、メダル貸し出し機の本体前面のメダル払い出し口に樋状のノズルを設けて、メダル貸し出し機の本体から払い出された遊技メダルをスロットマシンの払い出しメダル皿まで案内するメダル貸し出し機が検討されている（例えば、特許文献１、第４図。）。
また、スロットマシンのメダル投入口の態様によっては、メダル貸し出し機から払い出された遊技メダルを、スロットマシンの払い出しメダル皿にではなく、スロットマシンのメダル投入口に案内して、メダル投入口に遊技メダルを直接投入するノズルを設けたメダル貸し出し機も検討されている（例えば、特許文献２、第１図。）。
一方、遊技媒体として全体形状が球状の遊技球であるパチンコ玉を用い、スロットマシンと同様の遊技を行うことができる、いわゆるパロットが知られている。このパロットは、上皿の上部又は上方に、遊技媒体を払い出すための遊技媒体排出口があり、上皿の下部に、上皿内部の遊技媒体を遊技機内部に投入するため遊技媒体投入口がある。そして、払い出された遊技球や、遊技媒体貸し出し機から貸し出された遊技球を、所定のスイッチ操作（例えばベットスイッチ押下操作）により遊技媒体投入口から投入し、スタートスイッチ及びストップスイッチの操作により回転リールを回転及び停止させ、所定の図柄を揃えることにより遊技媒体排出口から上皿に遊技球が払い出される。そして、上皿に遊技球が一杯になった場合には、上皿の下方に位置して遊技球を貯留可能な下皿に移して、遊技球を貯留できるようになっているものである。そして、このパロットを使用する遊技者に対して、遊技媒体としての球状の遊技球を貸し出すための遊技媒体貸し出し機も、上述したメダル貸し出し機と同様のものが検討されている。すなわち、複数のパロットの間に配置した遊技媒体貸し出し機から払い出された遊技球を遊技者が手で直接、掴んで上皿に投入すると、遊技球に付着した油で手が汚れる。このため、隣接する遊技媒体貸し出し機から遊技球が転がり可能な樋状のノズルを、パロットの下皿や、直接、上皿にまで伸ばして、遊技球をパロットへ案内するものが考えられる。
【特許文献１】特開２００３−２３６２２０号公報（第４図）
【特許文献２】特開２００３−２７５４５１号公報（第１図）
【発明の開示】
【発明が解決しようとする課題】
【０００５】
しかし、上記した特許文献１に記載した従来のメダル貸し出し機では、やはり、遊技機の下部に位置する払い出しメダル皿に貯留された遊技メダルを、遊技者が手で掴んで上方のメダル投入口まで繰り返し、持ち上げなければならず、手間を有していた。そして、遊技機下部の払い出しメダル皿内部の遊技メダルを手で掴んで上方のメダル投入口まで持ち上げる際に、遊技メダルを遊技ホールの床に誤って落としてしまうこともあった。また、遊技メダルに頻繁に手を触れることで、遊技メダルに付着した油等によって、遊技者の手が汚れるといった第１の問題点があった。
また、上記した特許文献２に記載した従来のメダル貸し出し機では、最初に、メダル貸し出し機から貸し出される遊技メダルは、直接、遊技機のメダル投入口へ、遊技者の手を介さずに投入することができる。しかし、遊技者の中には、メダル貸出機から貸し出された遊技メダルが全く遊技者側に直接払い出されずに直接、遊技機の内部に投入されることを望まない遊技者もいた。かかる遊技者は、メダル貸出機から貸し出された遊技メダルをいったん自分の手元に置いて、枚数等を確認したいと望む者である。特許文献２に記載された技術では、かかる多様な遊技者の希望を叶えることができないという第２の問題点があった。
【０００６】
さらに、上記した特許文献２に記載した従来のメダル貸し出し機では、メダル貸し出し機から貸し出される際の遊技メダルは、遊技機へ自動投入されるが、それ以外の遊技メダルを自動投入することができなかった。遊技を進めるにともなって、遊技機により払い出された遊技メダルが遊技機の下部の払い出しメダル皿に貯まる。かかる払い出しメダル皿内部の遊技メダルは、やはり、遊技者が手で掴んで、メダル投入口まで持ち上げなければならず、手間を有し、また、遊技メダルに頻繁に手を触れることで、遊技メダルに付着した油等によって、遊技者の手が汚れるといった第３の問題点があった。
一方、メダル貸し出し機の下部に遊技メダルを投入して貯留可能な上昇投入皿を設け、この上昇投入皿内部の遊技メダルを上昇装置等を使用して遊技機のメダル投入口に投入しようとすると、遊技メダルをメダル投入口まで手で掴んで持ち上げる必要が無いため、遊技メダルの投入作業の手間を少なくすることができる。そして、遊技機の払い出しメダル皿内部に払い出された遊技メダルを、かかる上昇投入皿へ投入可能なように、上昇投入皿を手前側に配置すると、遊技の結果により遊技機の払い出しメダル皿へ払い出された遊技メダルも、メダル投入口まで移送させることができて遊技メダルの投入作業を容易なものにすることができる。しかし、遊技ホールのように複数の遊技機を連続して横に並べて、各遊技機の間にメダル貸し出し機が配置されているような場合、メダル貸し出し機の手前側の下部に設けた上昇投入皿が、隣の遊技機の前扉を開放するときに、邪魔になるといった第４の問題点があった。
【０００７】
また、遊技球を使用するいわゆるパロットにおいても、下皿に貯留した遊技媒体を、上皿に移送させるのに、遊技者が手で行うと、手に遊技球に付着した油等が付着するという問題点や、また、遊技媒体貸し出し機においても、メダル貸出機の場合と同様に、遊技媒体貸し出し機の下部に上昇投入皿を設けると、この上昇投入皿が、隣のパロットの扉を開放するときに、邪魔になる等のメダル貸し出し機と同様の問題点があった。
そこで、各請求項にそれぞれ記載された各発明は、上記した従来の技術の有する問題点に鑑みてなされたものであり、その目的とするところは、次の点にある。
（請求項１）
すなわち、請求項１記載の発明は、上記した従来の技術の有する第１乃至第４の問題点に鑑みてなされたものであり、その目的とするところは、以下の（１）乃至（５）の内容が可能なメダル貸し出し機を提供しようとするものである。
【０００８】
（１）メダル貸し出し機の下部の上昇投入皿へ払い出された遊技メダルを上方のメダル投入口まで持ち上げる必要がなく、遊技メダルの投入作業を容易なものにすることができる。
（２）遊技者の手が汚れることを抑えることができる。
（３）メダル貸出機から貸し出された遊技メダルをいったん遊技者側の手元に払い出すことを臨む遊技者の希望を叶えることができる。
（４）遊技機の下部の払い出しメダル皿内部に払い出された遊技メダルも、メダル貸し出し機の下部の上昇投入皿へ移送するだけで、さらに簡単に、メダル投入口へ投入することができる。
【０００９】
（５）上昇投入皿は、隣の遊技機の扉を開放したときに邪魔にならない。
（請求項２）
請求項２記載の発明は、上記した請求項１記載の発明の目的に加え、次の点を目的とする。
すなわち、請求項２記載の発明は、貸し出された遊技メダルだけではなく、遊技機Sの払い出しメダル皿43へ払い出された遊技メダルも、簡単に、メダル投入口42へ投入することができるようにしたメダル貸し出し機を提供しようとするものである。
（請求項３）
請求項３記載の発明は、上記した請求項２記載の発明の目的に加え、次の点を目的とする。
【００１０】
すなわち、請求項３記載の発明は、払い出しメダル皿に払い出された遊技メダルを、貸し出し移送連通路を介して、払い出しメダル皿から上昇投入皿へ簡単に移送することができるようにしたメダル貸し出し機を提供しようとするものである。
（請求項４）
請求項４記載の発明は、次の点を目的とする。
すなわち、請求項４記載の発明は、以下の（１）乃至（５）の内容が可能な遊技媒体貸し出し機を提供しようとするものである。
（１）遊技媒体貸し出し機の下部の上昇投入皿へ払い出された遊技媒体を上方の遊技媒体投入口まで持ち上げる必要がなく、遊技媒体の投入作業を容易なものにすることができる。
【００１１】
（２）遊技者の手が汚れることを抑えることができる。
（３）遊技媒体貸出機から貸し出された遊技媒体をいったん遊技者側の手元に払い出すことを臨む遊技者の希望を叶えることができる。
（４）遊技機の下部の払い出し遊技媒体皿内部に払い出された遊技媒体も、遊技媒体貸し出し機の下部の上昇投入皿へ移送するだけで、さらに簡単に、遊技媒体投入口へ投入することができる。
（５）上昇投入皿は、隣の遊技機の扉を開放したときに邪魔にならない。
【課題を解決するための手段】
【００１２】
（特徴点）
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【００１３】
すなわち、遊技メダルをメダル投入口(42)に投入することを条件として遊技を開始する複数の遊技機(S)の間に配置して遊技メダルを遊技者に貸し出すためのメダル貸し出し機(200)において、前記メダル貸し出し機(200)は、前記メダル貸し出し機(200)から払い出された遊技メダルを、前記遊技機(S)の前記メダル投入口(42)へ投入するためのメダル自動投入装置(205)を備えている。
そして、前記メダル自動投入装置(205)は、前記メダル貸し出し機(200)の下部の手前側に設けられ、遊技メダルを受けるための上昇投入皿(230)と、前記メダル貸し出し機(200)の下部に形成され、前記上昇投入皿(230)に投入された遊技メダルを前記メダル貸し出し機(200)の本体内部に投入するための上昇投入口(270)と、前記上昇投入口(270)から投入された遊技メダルを上方に移送するための上昇装置(220)と、前記メダル貸し出し機(200)の上部外側に面して前記上昇装置(220)で上昇させた遊技メダルを外部に排出するための上昇メダル排出口(210)と、前記上昇メダル排出口(210)から排出された遊技メダルを、前記メダル投入口(42)に移送するための投入移送通路(80)とを備え、前記上昇投入皿(230)を、前記メダル貸し出し機(200)に対して脱着自在に形成したことを特徴とする。
【００１４】
また、ここで、「遊技メダル」とあるが、かかる円板状のメダルに限定されるものではなく、通常使用されるメダル状の貨幣でもよいものである。
（作用）
本発明は、メダル貸し出し機(200)の下部の上昇投入皿(230)から遊技メダルを手で掴んで、上方のメダル投入口(42)まで持ち上げる必要がなく、遊技メダルの投入作業を容易なものにすることができる。
また、上昇投入皿(230)内部の遊技メダルは、上昇装置(220)及び投入移送通路(80)を経て、遊技機(S)のメダル投入口(42)に投入されるため、遊技者が遊技メダルに手を触れる頻度を抑えることができる。これにより、遊技メダルに付着した油や、汚れが手に付いて、遊技者の手が汚れることを抑えることができる。
【００１５】
また、メダル貸し出し機(200)から貸し出された遊技メダルは、直接、遊技機(S)のメダル投入口(42)へ投入されるのではなく、一端、メダル貸し出し機(200)の下部の上昇投入皿(230)へ投入される。このため、遊技メダルが全く遊技者側に払い出されずに直接、遊技機の内部に投入されることを望まずに、メダル貸出機から貸し出された遊技メダルをいったん遊技者側の手元に払い出させて、枚数等を確認したいと望む遊技者の希望を叶えることができる。
また、このメダル貸し出し機(200)は、上昇投入皿(230)を設けたことにより、メダル貸し出し機(200)から貸し出された遊技メダルだけではなく、外部からも遊技メダルを、かかる上昇投入皿(230)に投入することにより、遊技機(S)のメダル投入口(42)まで自動的に移送して投入することができる。特に、この上昇投入皿(230)は、メダル貸し出し機(200)の下部に配置され、同様に遊技機(S)の下部に通常、配置される払い出しメダル皿(43)内部に払い出された遊技メダルを、簡単に、まとめて、上昇投入皿(230)に投入することができる。これにより、遊技機(S)の払い出しメダル皿(43)内部に払い出された遊技メダルも、上昇装置(220)により持ち上げて、上方のメダル投入口(42)まで、自動的に投入することができる。また、遊技機(S)の払い出しメダル皿(43)内部に払い出された遊技メダルを、まとめて、上昇投入皿(230)へ投入するだけで、メダル投入口(42)への投入が可能となるため、手で１枚、１枚、揃えてメダル投入口(42)に投入する必要がなくなり、遊技メダルに遊技者の手が触れる頻度や時間を少なくすることができる。これにより、さらに、遊技メダルに付着した油等により、遊技者の手が汚れることを抑えることができる。
【００１６】
また、メダル貸し出し機(200)の下部の手前側に設けられた上昇投入皿(230)は、メダル貸し出し機(200)に対して脱着自在に形成されている。このため、複数の遊技機(S)の間に配置したメダル貸し出し機(200)の上昇投入皿(230)は、隣の遊技機(S)の扉(3)を開放する際、上昇投入皿(230)を取り外すことにより、邪魔になることを回避することができる。
（請求項２）
請求項２記載の発明は、上記した請求項１記載の発明の特徴点に加え、次の点を特徴とする。
すなわち、前記上昇投入皿(230)を、前記遊技機(S)の下部に位置して、遊技機内から払い出される遊技メダルを受ける払い出しメダル皿(43)に隣接して形成したことを特徴とする。
【００１７】
（作用）
本発明は、遊技機(S)の下部の払い出しメダル皿(43)の内部に払い出された遊技メダルを、横方向に移動させるだけで、払い出しメダル皿(43)に隣接する上昇投入皿(230)へ簡単に移動させることができる。そして、かかる上昇投入皿(230)へ投入された遊技メダルを、上昇装置(220)や投入移送通路(80)を経て、そのまま遊技機(S)のメダル投入口(42)へ投入することができる。これにより、メダル貸し出し機(200)は、貸し出された遊技メダルだけではなく、遊技機(S)の払い出しメダル皿(43)へ払い出された遊技メダルも、簡単に、メダル投入口(42)へ投入することができる。
【００１８】
（請求項３）
請求項３記載の発明は、上記した請求項２記載の発明の特徴点に加え、次の点を特徴とする。
すなわち、前記上昇投入皿(230)及び前記払い出しメダル皿(43)の間には、前記払い出しメダル皿(43)から前記貸し出しメダル皿へ遊技メダルを移送するための貸し出し移送部(90)を備え、前記貸し出し移送部(90)は、前記払い出しメダル皿(43)と、前記貸し出しメダル皿との間を連通する貸し出し移送連通路(91)を備えたことを特徴とする。
なお、ここで、「貸し出し移送連通路(91)」は、具体的には、例えば、図１及び図１１に示すように、払い出しメダル皿(43)の底面が、上昇投入皿(230)の上面の縁まで、傾斜した傾斜面のようなものを含む。
（作用）
払い出しメダル皿(43)と、上昇投入皿(230)との間を連通する貸し出し移送連通路(91)を備えたことにより、貸し出し移送連通路(91)内において、払い出しメダル皿(43)に払い出された遊技メダルを、手で押して滑らせながら、上昇投入皿(230)へ移動させることができる。これにより、払い出しメダル皿(43)に払い出された遊技メダルを、遊技者が手で掴んで、払い出しメダル皿(43)から一旦、取り出して、上昇投入皿(230)まで持ち上げて運ぶ必要がなく、払い出しメダル皿(43)から上昇投入皿(230)への遊技メダルの移送を容易なものにすることができる。
【００１９】
そして、上昇投入皿(230)へ移動した遊技メダルを、上昇装置(220)及び投入移送通路(80)を経由して、メダル投入口(42)へ自動的に移動させることができる。すなわち、結果として、遊技機(S)の払い出しメダル皿(43)へ払い出された遊技メダルを、貸し出し移送連通路(91)を介して、上昇投入皿(230)へ移動させることにより、メダル貸し出し機(200)を通って、遊技機(S)のメダル投入口(42)へ自動的に投入することができる。
（請求項４）
請求項４記載の発明は、次の点を特徴とする。
すなわち、遊技媒体を遊技媒体投入口(42)に投入することを条件として遊技を開始する複数の遊技機(S)の間に配置して遊技媒体を遊技者に貸し出すための遊技媒体貸し出し機(200)において、前記遊技媒体貸し出し機(200)は、前記遊技媒体貸し出し機(200)から払い出された遊技媒体を、前記遊技機(S)の前記遊技媒体投入口(42)へ投入するための遊技媒体自動投入装置(205)を備えている。
【００２０】
そして、前記遊技媒体自動投入装置(205)は、前記遊技媒体貸し出し機(200)の下部の手前側に設けられ、遊技媒体を受けるための上昇投入皿(230)と、前記遊技媒体貸し出し機(200)の下部に形成され、前記上昇投入皿(230)に投入された遊技媒体を前記遊技媒体貸し出し機(200)の本体内部に投入するための上昇投入口(270)と、前記上昇投入口(270)から投入された遊技媒体を上方に移送するための上昇装置(220)と、前記遊技媒体貸し出し機(200)の上部外側に面して前記上昇装置(220)で上昇させた遊技媒体を外部に排出するための上昇遊技媒体排出口(210)と、前記上昇遊技媒体排出口(210)から排出された遊技媒体を、前記遊技媒体投入口(42)に移送するための投入移送通路(80)とを備え、前記上昇投入皿(230)を、前記遊技媒体貸し出し機(200)に対して脱着自在に形成したことを特徴とする。
【００２１】
なお、ここで、遊技媒体は、パチンコ球のような球状の遊技球を含むものである。また、ここで、遊技機は、遊技媒体として球状の遊技球を使用する、いわゆるパロットを含むものである。
（作用）
本発明は、遊技媒体貸し出し機(200)の下部の上昇投入皿(230)から遊技媒体を手で掴んで、上方の遊技媒体投入口(42)まで持ち上げる必要がなく、遊技媒体の投入作業を容易なものにすることができる。
また、上昇投入皿(230)内部の遊技媒体は、上昇装置(220)及び投入移送通路(80)を経て、遊技機(S)の遊技媒体投入口(42)に投入されるため、遊技者が遊技媒体に手を触れる頻度を抑えることができる。これにより、遊技媒体に付着した油や、汚れが手に付いて、遊技者の手が汚れることを抑えることができる。
【００２２】
また、遊技媒体貸し出し機(200)から貸し出された遊技媒体は、直接、遊技機(S)の遊技媒体投入口(42)へ投入されるのではなく、一端、遊技媒体貸し出し機(200)の下部の上昇投入皿(230)へ投入される。このため、遊技媒体が全く遊技者側に払い出されずに直接、遊技機の内部に投入されることを望まずに、遊技媒体貸出機から貸し出された遊技媒体をいったん遊技者側の手元に払い出させて、枚数等を確認したいと望む遊技者の希望を叶えることができる。
また、この遊技媒体貸し出し機(200)は、上昇投入皿(230)を設けたことにより、遊技媒体貸し出し機(200)から貸し出された遊技媒体だけではなく、外部からも遊技媒体を、かかる上昇投入皿(230)に投入することにより、遊技機(S)の遊技媒体投入口(42)まで自動的に移送して投入することができる。特に、この上昇投入皿(230)は、遊技媒体貸し出し機(200)の下部に配置され、同様に遊技機(S)の下部に通常、配置される払い出し遊技媒体皿(43)内部に払い出された遊技媒体を、簡単に、まとめて、上昇投入皿(230)に投入することができる。これにより、遊技機(S)の払い出し遊技媒体皿(43)内部に払い出された遊技媒体も、上昇装置(220)により持ち上げて、上方の遊技媒体投入口(42)まで、自動的に投入することができる。また、遊技機(S)の払い出し遊技媒体皿(43)内部に払い出された遊技媒体を、まとめて、上昇投入皿(230)へ投入するだけで、遊技媒体投入口(42)への投入が可能となるため、手で１個ずつ、遊技媒体投入口(42)に投入する必要がなくなり、遊技媒体に遊技者の手が触れる頻度や時間を少なくすることができる。これにより、さらに、遊技媒体に付着した油等により、遊技者の手が汚れることを抑えることができる。
【００２３】
また、遊技媒体貸し出し機(200)の下部の手前側に設けられた上昇投入皿(230)は、遊技媒体貸し出し機(200)に対して脱着自在に形成されている。このため、複数の遊技機(S)の間に配置した遊技媒体貸し出し機(200)の上昇投入皿(230)は、隣の遊技機(S)の扉(3)を開放する際、上昇投入皿(230)を取り外すことにより、邪魔になることを回避することができる。
更に、前記上昇投入皿(230)を、前記遊技機(S)の下部に位置して、遊技機内から払い出される遊技媒体を受ける下皿に隣接するように形成することができる。
このように形成すると、遊技機(S)の下部の下皿の内部に払い出された遊技媒体を、横方向に移動させるだけで、下皿に隣接する上昇投入皿(230)へ簡単に移動させることができる。そして、かかる上昇投入皿(230)へ投入された遊技媒体を、上昇装置(220)や投入移送通路(80)を経て、そのまま遊技機(S)の遊技媒体投入口(42)へ投入することができる。これにより、遊技媒体貸し出し機(200)は、貸し出された遊技媒体だけではなく、上皿が遊技媒体で一杯の際、遊技機(S)の下皿へ払い出された遊技媒体も、簡単に、遊技媒体投入口(42)へ投入することができる。
【００２４】
更に、前記上昇投入皿(230)及び前記下皿の間には、前記下皿から前記貸し出し遊技媒体皿へ遊技媒体を移送するための貸し出し移送部(90)を備え、前記貸し出し移送部(90)は、前記下皿と、前記貸し出し遊技媒体皿との間を連通する貸し出し移送連通路(91)を備えるように形成することができる。
なお、ここで、「貸し出し移送連通路(91)」は、具体的には、例えば、図１及び図１１に示すように、下皿の底面が、上昇投入皿(230)の上面の縁まで、傾斜した傾斜面のようなものを含む。
このように形成すると、下皿と、上昇投入皿(230)との間を連通する貸し出し移送連通路(91)を備えたことにより、貸し出し移送連通路(91)内において、下皿に払い出された遊技媒体を、手で押して滑らせながら、上昇投入皿(230)へ移動させることができる。これにより、下皿に払い出された遊技媒体を、遊技者が手で掴んで、下皿から一旦、取り出して、上昇投入皿(230)まで持ち上げて運ぶ必要がなく、下皿から上昇投入皿(230)への遊技媒体の移送を容易なものにすることができる。そして、上昇投入皿(230)へ移動した遊技媒体を、上昇装置(220)及び投入移送通路(80)を経由して、遊技媒体投入口(42)へ自動的に移動させることができる。すなわち、結果として、遊技機(S)の下皿へ払い出された遊技媒体を、貸し出し移送連通路(91)を介して、上昇投入皿(230)へ移動させることにより、遊技媒体貸し出し機(200)を通って、遊技機(S)の遊技媒体投入口(42)へ自動的に投入することができる。
【発明の効果】
【００２５】
本発明は、以上のように構成されているので、以下に記載されるような効果を奏する。
（請求項１）
請求項１記載の発明によれば、次のような効果を奏する。
すなわち、請求項１記載の発明によれば、以下に示す（１）乃至（５）の内容が可能なメダル貸し出し機を提供することができる。
（１）メダル貸し出し機の下部の上昇投入皿へ払い出された遊技メダルを上方のメダル投入口まで持ち上げる必要がなく、遊技メダルの投入作業を容易なものにすることができる。
【００２６】
（２）遊技者の手が汚れることを抑えることができる。
（３）メダル貸出機から貸し出された遊技メダルをいったん遊技者側の手元に払い出すことを臨む遊技者の希望を叶えることができる。
（４）遊技機の払い出しメダル皿内部に払い出された遊技メダルも、上昇投入皿へ投入するだけで、簡単に、メダル投入口へ投入することができる。
（５）上昇投入皿は、隣の遊技機の扉を開放したときに邪魔にならない。
（請求項２）
請求項２記載の発明によれば、上記した請求項１記載の発明の効果に加え、次のような効果を奏する。
【００２７】
すなわち、請求項２記載の発明によれば、貸し出された遊技メダルだけではなく、遊技機の払い出しメダル皿へ払い出された遊技メダルも、簡単に、メダル投入口へ投入することができるようにしたメダル貸し出し機を提供することができる。
（請求項３）
請求項３記載の発明によれば、上記した請求項２記載の発明の効果に加え、次のような効果を奏する。
すなわち、請求項３記載の発明によれば、払い出しメダル皿に払い出された遊技メダルを、貸し出し移送連通路を介して、払い出しメダル皿から上昇投入皿へ簡単に移送することができるようにしたメダル貸し出し機を提供することができる。
【００２８】
（請求項４）
請求項４記載の発明によれば、次のような効果を奏する。
すなわち、請求項４記載の発明は、以下の（１）乃至（５）の内容が可能な遊技媒体貸し出し機を提供することができる。
（１）遊技媒体貸し出し機の下部の上昇投入皿へ払い出された遊技媒体を上方の遊技媒体投入口まで持ち上げる必要がなく、遊技媒体の投入作業を容易なものにすることができる。
（２）遊技者の手が汚れることを抑えることができる。
【００２９】
（３）遊技媒体貸し出し機から貸し出された遊技媒体をいったん遊技者側の手元に払い出すことを臨む遊技者の希望を叶えることができる。
（４）遊技機の下部の払い出し遊技媒体皿内部に払い出された遊技媒体も、遊技媒体貸し出し機の下部の上昇投入皿へ移送するだけで、さらに簡単に、遊技媒体投入口へ投入することができる。
（５）上昇投入皿は、隣の遊技機の扉を開放したときに邪魔にならない。
【発明を実施するための最良の形態】
【００３０】
（図面の説明）
図１乃至図１４は、本発明の実施の形態を示すものである。
図１は遊技機及びメダル貸し出し機の外観斜視図、図２はメダル貸し出し機の外観斜視図、図３は隣接する遊技機の扉を開放した状態の外観平面図、図４は遊技機及びメダル貸し出し機の外観平面図、図５は上昇投入皿を外した状態のメダル貸し出し機及び遊技機の外観側面図、図６はメダル貸し出し機及び遊技機の外観側面図、図７は複数の遊技機の間にメダル貸し出し機を配置した状態の外観正面図、図８は投入移送通路の外観正面図、図９は上昇メダル排出口周辺の部分縦断面図、図１０はメダル投入口の部分縦断面図、図１１はメダル貸し出し機及び遊技機の外観正面図、図１２は下部送り出し円板の概略平面図、図１３はメダル立設装置の概略図、図１４は上昇装置の横断面図をそれぞれ示すものである。
【００３１】
本実施の形態に係るメダル貸し出し機200は、遊技メダルをメダル投入口42に投入することを条件として遊技を開始する複数の遊技機Sの間に配置して遊技メダルを遊技者に貸し出すためのものである。そして、このメダル貸し出し機200は、メダル貸し出し機200から払い出された遊技メダルを、遊技機Sのメダル投入口42へ投入するためのメダル自動投入装置205を備えている。
先ず最初に、メダル貸し出し機200のメダル自動投入装置205が遊技メダルを投入する遊技機Sについて説明する。
（遊技機S）
上記遊技機Sは、大きく分けて、正面側に開口する正面開口部を有する箱状の筐体1と、この筐体1の正面開口部を開閉可能に塞ぐための扉3とから構成されている。そして、筐体1の内部及び扉3の裏面側には、遊技を行うための各種装置が配置されている。この遊技機Sは、正面側から見て扉3の左側に回転可能なヒンジを設け、かかるヒンジを中心として、上から見て時計回りの方向に回転することにより、閉じた状態から開いた状態へ移行するように形成されている。そして、遊技機Sの正面側から見て向かって右側に当該遊技機Sへ遊技メダルを供給するメダル貸し出し機200が配置されている。そして、遊技ホールでは、図７に示すように、上述したような遊技機S及びメダル貸し出し機200が対となったものが、横方向に連続して配置されるものである。
【００３２】
（筐体1）
上記筐体1は、全体形状が略箱状態であって、上部を覆う天板、左右側面を覆う側板、下部を覆う底板、背面側を覆う裏板を有し、これらの手前側の正面開口部を開閉可能な扉3によって覆っている。そして、特に図示していないが、筐体1の略中央には中板が横方向に渡されている。そして、この中板の上の筐体1の上部には、周囲に複数の図柄が描かれた回転リールと、この回転リールを回転駆動させるための駆動モータとからなるリールユニットを配置している。そして、筐体1の上部には、スロットマシンSの内部部品を制御するための制御装置が奥側に固定されている。そして、筐体1の中板の下部には、各部品に電力を供給するための電源装置と、遊技者が投入し、また、遊技者へ払い出すための遊技メダルを貯留し、また、所定の入賞の場合に遊技者へ遊技メダルを払い出すことが可能な払い出し装置5、いわゆるホッパーユニットとを備えている。
【００３３】
なお、本明細書において、「手前側」とは、遊技者が、スロットマシンSの扉3の前にスロットマシンSの方を向いて位置しているような場合のかかる遊技者の手前側を意味する。したがって、手前側方向とは、スロットマシンSの奥から正面へ向かう方向を意味する。また、「奥側」とは、遊技者が、スロットマシンSの正面側にスロットマシンSの方を向いて位置しているような場合のかかる遊技者から見たときの奥側を意味する。したがって、奥側方向とは、スロットマシンSの正面から後方へ向かう方向を意味する。
（扉3）
上記扉3は、筐体1の向かって左側の回転自在かつロック可能に形成されている板状の扉である。
【００３４】
前記扉3の上部の略中央部には、前記回転リールの図柄を正面側から見ることができる図柄表示窓31を有し、周囲に飾り部33が設けられ、種々の表示を行うための表示装置32が設けられている。
前記扉3の略中央には、スロットマシンSを作動させるための操作部41を形成している。
また、扉3の下部には払い出し装置5により払い出された遊技メダルを溜めておくための箱状の払い出しメダル皿43が形成されている。そして、扉3の下部の払い出しメダル皿43の上には、遊技内容その他の案内表示をするための前パネル50が嵌め込まれている。
前記操作部41として、扉3の略中央の右端には、遊技を行うために遊技者が遊技メダルを投入するためのメダル投入口42が形成されている。そして、扉3の略中央の向かって左側には、ベットスイッチ35が形成されている。このベットスイッチ35は、所定枚数（例えば５０枚）までスロットマシンS内部に貯留した遊技メダルを（いわゆるクレジット）、操作により遊技メダル投入に代えることが可能なものである。また、操作部41の向かって左側の正面側には、操作により回転リールの回転を開始させるためのレバー式のスタートスイッチ34が形成されている。そして、操作部41の略中央の正面側には、操作により３個の回転リールのそれぞれを停止させることが可能なボタン式のストップスイッチ36が形成されている。そして、操作部41の向かって右側には、扉3の開閉のロックを解除可能な鍵穴44が形成されている。この鍵穴44に所定の鍵を差し込んで回すと、扉3の扉ロック機構のロックが解除されるものである。
【００３５】
さらに、扉3の裏面側には、前記メダル投入口42から投入された遊技メダルを誘導しながら遊技メダルの正偽を判断するためのメダルセレクター48が設けられている。このメダルセレクター48の内部には、適正な遊技メダルが投入された場合に、電気信号を発生する投入スイッチ47が設けてある。
（メダル投入口42）
上記メダル投入口42は、その形状が略長方形の開口する孔状のものであって、このメダル投入口42の幅は、遊技メダルの厚みより僅かに大きなものに設定され、メダル投入口42の長さは、遊技メダルの直径より僅かに大きなものに設定されている。そして、このメダル投入口42は、その下部に配置されたメダルセレクター48へ遊技メダルを移送するための通路を有している。したがって、メダル投入口42から投入された遊技メダルは、メダルセレクター48へ案内されるものである。
【００３６】
図１０に示すように、メダル投入口42の手前側には、手前側に向かって下り傾斜した投入口傾斜面51が形成されている。この投入口傾斜面51は、遊技メダルの円の周縁の形状と略整合するような半円状に窪んだ形状に形成されている。遊技者が遊技メダルを、直接、手で投入したい場合には、円柱状の複数枚に整列させた遊技メダルを、この投入口傾斜面51の上に置いて、手前側から少しずつ奥側に押すことにより、１枚ずつメダル投入口42へ遊技メダルを投入することができる。
そして、このメダル投入口42の右側には、メダル貸し出し機200から投入される遊技メダルをメダル投入口42へ案内するスロット側投入移送傾斜通路82が差し込まれている。このスロット側投入移送傾斜通路82は、その通路内部が少しずつ捻れた状態に形成されている。この捻れは、図１０に示すように、右側のメダル貸し出し機200から斜めに傾斜した状態で投入されてきた遊技メダルを、少しずつ縦方向に立たせて、最後には、メダル投入口42の鉛直方向へ真っ直ぐ、入るように形成されているものである。
【００３７】
（メダルセレクター48）
上記メダルセレクター48は、メダル投入口42から投入された遊技メダルが、予め定めた寸法形状や材質からなる適正なものであるか否かを判断して分別することができるものである。そして、メダルセレクター48は、メダル投入口42から投入された遊技メダルが予め定めた適正な遊技メダルであれば、メダルセレクター48内部の投入スイッチ47をＯＮ状態にする。そして、かかる適正な遊技メダルは、払い出し装置5へ貯留される。一方、メダル投入口42から投入された遊技メダルが不適正なものであれば、かかる遊技メダルは下方の払い出しメダル皿43へ排出されるように形成されている。
【００３８】
（払い出し装置5）
上記払い出し装置5は、遊技の結果に基づいて、遊技者に遊技メダルを払い出すためのものであって、投入された遊技メダルを貯留することができるとともに、所定の入賞の場合に、遊技者に向かって払い出しメダル皿43へ遊技メダルを払い出すことが可能なものである。この払い出し装置5は、別名、ホッパーユニットとも呼ばれるものである。
この払い出し装置5は、特に図示していないが、上方に開口するホッパー状のものと、その下部に遊技メダルを１枚ずつ送り出し可能な円板と、この円板を回転させるための駆動モーターとを備えている。前記円板の周囲には、その表面に遊技メダルが１枚ずつ入り込み可能な円形状の孔が、形成されている。そして、円板下部に向かって突出するピンにより、遊技メダルが１枚ずつ、外部に押し出されて、払い出し排出口45を介して、払い出しメダル皿43へ所定枚数の遊技メダルを払い出し可能なものである。
【００３９】
（払い出しメダル皿43）
上記払い出しメダル皿43は、扉3の正面側の下部に位置して、払い出し装置5から遊技者へ向かって払い出された遊技メダルを貯留するための箱状のものである。この払い出しメダル皿43の略中央には、払い出し装置5から払い出された遊技メダルが、払い出しメダル皿43へ向かって排出される払い出し排出口45を備えている。
前記払い出しメダル皿43は、上方に向かって開口し、その周囲を覆う立設壁46を備えている。
そして、この払い出しメダル皿43と、上昇投入皿230との間には、払い出しメダル皿43から上昇投入皿230へ遊技メダルを移送するための貸し出し移送部90が形成されている。
【００４０】
（貸し出し移送部90）
上記貸し出し移送部90は、払い出しメダル皿43及び上昇投入皿230の間に位置して、払い出しメダル皿43内部の遊技メダルを上昇投入皿230へスムーズに移送させることができるものである。この貸し出し移送部90は、具体的には、図１１に示すように、払い出しメダル皿43と、上昇投入皿230との間を連通する貸し出し移送連通路91を備えている。この貸し出し移送連通路91は、払い出しメダル皿43の向かって右側の端部の底面が、上昇投入皿230の上端面まで、上り傾斜した傾斜面から形成されているものである。
（メダル貸し出し機200）
上記メダル貸し出し機200は、その全体形状が薄型箱状であって、遊技機Sに隣接して遊技メダルを遊技者に貸し出すためのものである。このメダル貸し出し機200は、遊技ホールでは、図７に示すように、複数の遊技機Sを横方向に並べた、いわゆる島と呼ばれるような配置において、各遊技機Sの間に１台ずつ挟まれるように配置されるものである。そして、このメダル貸し出し機200は、図１に示すように、メダル貸し出し機200の正面から向かって右側に配置した遊技機Sとの間で、かかる遊技機Sへの遊技メダルの自動投入を可能にしているものである。そして、上述したように、メダル貸し出し機200は、メダル貸し出し機200から払い出された遊技メダルを、メダル投入口42へ投入するためのメダル自動投入装置205を備えている。
【００４１】
前記メダル貸し出し機200は、その上部前面に紙幣投入口251を有している。そして、メダル貸し出し機200は、その上部に紙幣投入口251から投入された紙幣を適正なものか否かを判断して、投入された適正な紙幣の枚数をカウントする紙幣カウンター250を備えている。
前記メダル貸し出し機200は、前記紙幣カウンター250の下に、遊技者に貸し出すための遊技メダルを貯留するとともに、貸し出すことが可能な貸し出しメダル払い出し装置260を備えている。この貸し出しメダル払い出し装置260は、紙幣カウンター250によりカウントされた紙幣の枚数に応じて、所定枚数の遊技メダルを貸し出しメダル排出口240から遊技者へ貸し出すことができるものである。具体的には、図１及び図２に示すように、貸し出しメダル払い出し装置260は、上方に向かって開口して遊技メダルを貯留可能なホッパー261と、このホッパー261の下部に位置して、ホッパー261内部に貯留した遊技メダルを１枚ずつ貸し出しメダル排出口240へ排出可能な上部送り出し円板232と、この上部送り出し円板232から送出された遊技メダルを下方の貸し出しメダル排出口240へ案内する溝状の下部排出口通路243とを備えている。そして、この上部送り出し円板232の全周には、遊技メダルが入り込み可能なメダル孔225（図１２参照）が形成されている。この貸し出しメダル払い出し装置260の上部送り出し円板232の機構は、遊技機Sの払い出し装置5や、下部送り出し円板234の機構と原理は同様のものである。
【００４２】
前記メダル貸し出し機200の略中央には、メダル自動投入装置205を稼働させるための自動投入スイッチ49が形成されている。この自動投入スイッチ49を、遊技者が操作することにより、下部送り出し円板234及び上昇装置220の回転駆動を開始するように設定されている。
（メダル自動投入装置205）
上記メダル自動投入装置205は、メダル貸し出し機200から払い出された遊技メダルを、遊技機Sのメダル投入口42へ投入するためのものである。
前記メダル自動投入装置205は、メダル貸し出し機200の下部の手前側に設けられた遊技メダルを受けるための上昇投入皿230と、メダル貸し出し機200の下部に形成され、上昇投入皿230に投入された遊技メダルをメダル貸し出し機200の本体内部に投入するための上昇投入口270と、上昇投入口270から投入された遊技メダルを上方に移送するための上昇装置220と、メダル貸し出し機200の上部外側に面して上昇装置220で上昇させた遊技メダルを外部に排出するための上昇メダル排出口210と、上昇メダル排出口210から排出された遊技メダルを、メダル投入口42に移送するための投入移送通路80とを備えている。
【００４３】
（貸し出しメダル排出口240）
上記貸し出しメダル排出口240は、メダル貸し出し機200への紙幣の投入を条件として、遊技者へ遊技機Sの遊技用に貸し出す遊技メダルを排出するための排出口である。この貸し出しメダル排出口240は、メダル貸し出し機200の下部に形成されている。
具体的には、前記貸し出しメダル排出口240は、下部排出口通路243の下部に設けた遊技メダルの排出口である。上部送り出し円板232により１枚ずつ下部排出口通路243へ送出された遊技メダルが、下部排出口通路243の溝状内部を滑って、かかる貸し出しメダル排出口240から上昇投入皿230へ投入されるように形成されている。したがって、貸し出しメダル排出口240は、上昇投入皿230の上方に配置されている。遊技者は、かかる貸し出しメダル排出口240の下部に掌を置くことにより、貸し出される遊技メダルを、直接、手で受けることも可能なものである。
【００４４】
（上昇投入皿230）
上記上昇投入皿230は、メダル貸し出し機200の手前側の下部に形成されている。そして、この上昇投入皿230は、上方に向かって開口して、貸し出しメダル排出口240等の上方から投入された遊技メダルを受けるためのものであって、略四角箱状に形成されている。そして、この上昇投入皿230は、メダル貸し出し機200に対して脱着自在に形成されている。そして、この上昇投入皿230は、遊技機Sの下部の払い出しメダル皿43に隣接して形成されている。
具体的には、上昇投入皿230は、その底面として、上昇投入皿230の奥側の上部に位置して、奥側から手前側に向かって下り傾斜した投入皿上部傾斜面236と、この投入皿上部傾斜面236の下方であって手前側から奥側に向かって下り傾斜した投入皿下部傾斜面237とを備えている。そして、上昇投入皿230の奥側端面及び奥側底面には、外部に向かって開口する投入皿後方開口部238が形成されている。この投入皿後方開口部238の空間内部にメダル貸し出し機200の手前側の下部に設けた下部送り出し円板234が挿入可能に形成されている。下部送り出し円板234の上方から上昇投入皿230の投入皿後方開口部238を覆い被せるようにはめ込むことができるような形状に形成されている。すなわち、上昇投入皿230は、投入皿後方開口部238内部に下部送り出し円板234が嵌り込むように上から被せることで、メダル貸し出し機200の手前側に取り付けることができる。また、上昇投入皿230は、下部送り出し円板234の上方に向かって引き上げることにより、投入皿後方開口部238内部から下部送り出し円板234が下方に外れて、メダル貸し出し機200から取り外すことができるものである。このように、上昇投入皿230は、メダル貸し出し機200の下部に、特別な治具や、ネジ等の締結部材等を使用することなく、脱着自在に形成されている。
【００４５】
この上昇投入皿230は、メダル貸し出し機200に対して脱着自在に形成されているため、図３に示すように、隣接する遊技機Sの扉3を開放状態にする際、上昇投入皿230を取り外した状態で、隣の遊技機Sの扉3を開放することができる。これにより、隣の遊技機Sの扉3を開放した際、開放した扉3が上昇投入皿230に当たって開放可能な角度が小さなものになることを抑えることができる。
前記上昇投入皿230は、遊技機Sの下部の払い出しメダル皿43の右横に隣接するように配置されている。このため、遊技機Sの下部の払い出しメダル皿43の内部に払い出された遊技メダルを、手で掴んでメダル投入口42まで持ち上げることなく、横方向に移動させるだけで、払い出しメダル皿43に隣接する上昇投入皿230へ簡単に移動させることができる。そして、かかる上昇投入皿230へ投入された遊技メダルを、上昇装置220や投入移送通路80を経て、そのまま遊技機Sのメダル投入口42へ投入することができる。これにより、メダル貸し出し機200は、貸し出された遊技メダルだけではなく、遊技機Sの払い出しメダル皿43へ払い出された遊技メダルも、簡単に、メダル投入口42へ投入することができる。
【００４６】
さらに、払い出しメダル皿43と、上昇投入皿230との間には、両者を連通する貸し出し移送連通路91を形成している。このため、払い出しメダル皿43に払い出された遊技メダルを、かかる貸し出し移送連通路91内を手で押して滑らせながら、上昇投入皿230へ移動させることができる。これにより、払い出しメダル皿43に払い出された遊技メダルを、遊技者が手で掴んで、払い出しメダル皿43から一旦、取り出して、上昇投入皿230まで持ち上げて運ぶ必要がなく、払い出しメダル皿43から上昇投入皿230への遊技メダルの移送を容易なものにすることができる。
そして、上昇投入皿230へ移動した遊技メダルを、上昇装置220及び投入移送通路80を経由して、メダル投入口42へ自動的に移動させることができる。すなわち、結果として、遊技機Sの払い出しメダル皿43へ払い出された遊技メダルを、貸し出し移送連通路91を介して、上昇投入皿230へ移動させることにより、メダル貸し出し機200を通って、遊技機Sのメダル投入口42へ自動的に投入することができる。
【００４７】
また、貸し出し移送連通路91を上昇投入皿230へ向かって上り傾斜としたことにより、払い出しメダル皿43内部の遊技メダルをメダル投入口42へ投入させる場合には、必ず遊技者の手で押す作業が介入するため、遊技メダルのメダル投入口42への投入に、遊技者の意思を必ず介入させることができる。これにより、払い出された遊技メダルが、遊技者の意思に反して、自動的に遊技機S内部に投入されてしまうようなことを回避することができる。
（下部送り出し円板234）
上記下部送り出し円板234は、上昇投入皿230の底部奥側に配置されて、上昇投入皿230内部の遊技メダルを、上昇投入口270の内部へ送出するためのものである。
【００４８】
この下部送り出し円板234は、遊技機Sの払い出し装置5や、メダル貸し出し機200の上部送り出し円板232と同様の構造を有しているもので、その下部送り出し円板234の上に乱雑に貯留された遊技メダルを１枚ずつ、整列した状態で送り出すことを可能とするものである。この下部送り出し円板234の全周には、図１２に示すように、遊技メダルの直径より僅かに大きな直径からなる円形状のメダル孔225が形成されている。そして、下部送り出し円板234が回転することにより、この円形状のメダル孔225に、遊技メダルが入り込み可能に形成されているものである。そして、下部送り出し円板234の下面に向かって外部に固定されたピン226が突出している。下部送り出し円板234の下面側には、突出するピン226により、下部送り出し円板234の回転を阻害しないような溝（図示せず）が形成されている。そして、下部送り出し円板234が回転することにより、かかるピン226に当たって押し出された下部送り出し円板234内の遊技メダルが、１枚ずつ、外部に送り出されるように形成されている。そして、下部送り出し円板234により送り出された遊技メダルは、メダル立設装置235を経ることで、縦方向に立設する。そして、縦方向に立設した状態の遊技メダルは、上昇装置220の螺旋状の内部に入り込むような通路を通って、上昇装置220へ供給されるものである。
【００４９】
（メダル立設装置235）
上記メダル立設装置235は、図１３に示すように、下部送り出し円板234から１枚ずつ水平方向に押し出される遊技メダルを、立設させるための装置である。本実施の形態に係るメダル立設装置235は、遊技メダルを移送する薄型の四角筒状の移送経路を、遊技メダルが途中で詰まらない程度に移送方向の中央を回転の中心軸として少しずつ回転させて、移送角度を捻らせることにより、遊技メダルを立設させているものである。もちろん、メダル立設装置235の遊技メダルを立設させる機構は、これに限定されるものではない。例えば、メダル立設装置235を、外周表面の傾斜角度が、円周状で約９０度程度、変化させた、変形カムを回転させることにより、その傾斜表面に沿って、遊技メダルを立設させるようなものでも良いものである。
【００５０】
（上昇装置220）
上記上昇装置220は、メダル貸し出し機200の内部に位置して、上昇投入皿230内部の遊技メダルを上方に向かって移送するためのものである。具体的には、この上昇装置220は、図１４に示すように、全体形状が略四角筒状であって鉛直方向に立設する四角筒部221と、この四角筒部221の中心に位置して回転可能な円柱状の回転軸部222と、この回転軸部222の外周表面に螺旋状に連続して外側へ向かって突出する螺旋部223と、前記回転軸部222を回転させるための駆動モーター（図示せず）とを備えている。前記メダル立設装置235により立設した状態の遊技メダルは、上昇装置220の下部から四角筒部221の内部に投入され、かかる立設した状態のままで、四角筒部221と、回転軸部222と、螺旋部223との間の空間内に入り込む。そして、回転軸部222が駆動モーターにより回転することにより、遊技メダルを、かかる四角筒部221と、回転軸部222と、螺旋部223との間の空間を上方に向かって、螺旋部223に沿って移送させることができる。
【００５１】
前記四角筒部221の上部の遊技機S側には、遊技メダルの縦断面より僅かに大きな形状からなる表裏に開口する四角形状の上昇メダル排出口210が形成されている。
（上昇メダル排出口210）
上記上昇メダル排出口210は、上昇装置220の上部外側に面して、上昇装置220で上昇させた遊技メダルを外部に排出するための四角筒部221の表裏に開口する孔である。すなわち、上昇装置220の四角筒部221内を螺旋部223に沿って上昇してきた遊技メダルは、全て、四角筒部221上部の上昇メダル排出口210から、四角筒部221の外部へ排出されるように形成されている。そして、この上昇メダル排出口210の外部には、略箱状の排出ボックス212が形成されている。そして、この排出ボックス212の手前側には、サンド側投入移送傾斜通路81の上端を差し込み可能な長方形孔状の傾斜通路挿入口211が形成されている。そして、上昇メダル排出口210から排出された遊技メダルは、排出ボックス212の内部で全て、投入移送通路80へ移送される。なお、図９に示すように、この上昇メダル排出口210から排出された遊技メダルは、立設した状態で排出される。しかし、その上昇メダル排出口210の下方に配置した投入移送通路80が斜めに傾斜した状態に形成されているため、立設した状態の遊技メダルは、かかる投入移送通路80の底面上に倒れて、斜めに傾斜した状態で投入移送通路80内を移動することとなる。
【００５２】
（投入移送通路80）
上記投入移送通路80は、上昇装置220の上昇メダル排出口210から排出された遊技メダルを、メダル投入口42に移送するための通路である。具体的には、投入移送通路80は、上昇メダル排出口210と、メダル投入口42との間を、遊技機S側に向かって下り傾斜する四角筒状の通路である。そして、この投入移送通路80は、メダル貸し出し機200の正面側に位置するサンド側投入移送傾斜通路81と、遊技機Sの正面側に位置するスロット側投入移送傾斜通路82とに２分割可能に形成されている。これは、遊技機Sの扉3を開放する際に、投入移送通路80の全部を取り外す必要が無いようにしたものである。そして、このサンド側投入移送傾斜通路81と、スロット側投入移送傾斜通路82との接合面は、特に図示していないが、両方の面に、単純な凹凸部が形成され、両者を軸方向（遊技メダルの通路内の進行方向）に引き離すことにより簡単に取り外すことができ、両者を軸方向に押しつけることにより簡単に接合することができるが、軸方向と直角方向に力が加わっても簡単には取り外れないように形成されている。
【００５３】
前記投入移送通路80の内部空間の厚みは、遊技メダルの厚みより、僅かに大きくなるように形成されている。サンド側投入移送傾斜通路81は、全体形状が略Ｌ字状に直角方向に曲がって形成されている。そして、スロット側投入移送傾斜通路82は、メダル投入口42の内部へ挿入されて固定されているものである。この投入移送通路80は、いずれも下方に向かって下り傾斜となるよう形成され、内部を遊技メダルが自重により落下或いは転がり落ちるように形成されている。
前記サンド側投入移送傾斜通路81の上端は、排出ボックス212の傾斜通路挿入口211へ差し込まれる。これにより、サンド側投入移送傾斜通路81の上部が保持されるものである。したがって、サンド側投入移送傾斜通路81の上部は、排出ボックス212の傾斜通路挿入口211から引き抜くことにより、簡単に取り外すことができる。なお、サンド側投入移送傾斜通路81の上端であって、排出ボックス212内部に挿入される部分は、上面が無く、底面のみ有するように形成されている。上昇メダル排出口210から排出された遊技メダルをサンド側投入移送傾斜通路81の底面で受けて、そのまま底面に沿って落下させることにより、上昇メダル排出口210から排出された遊技メダルをサンド側投入移送傾斜通路81の通路内部へ移送させることができる。
【００５４】
上述したように、サンド側投入移送傾斜通路81の上部及び下部は、簡単に取り外すことができるため、サンド側投入移送傾斜通路81全体を容易にメダル貸し出し機200から取り外すことができる。したがって、図３に示すように、遊技機Sの扉3を開く場合には、当該遊技機Sに取り付けたサンド側投入移送傾斜通路81だけを取り外すことにより、スロット側投入移送傾斜通路82は固定したままで、支障なく扉3を開くことができる。また、図３に示すように、扉3をヒンジ中心に、大きく開放しようとする遊技機Sの正面から向かって左側の遊技機Sに使用しているサンド側投入移送傾斜通路81を取り外すことにより、大きく扉3を開放しても、隣のサンド側投入移送傾斜通路81が扉3の開放の邪魔をして、最大開閉角度が小さなものとなることも無い。
【００５５】
前記スロット側投入移送傾斜通路82は、既に説明したように、軸方向に向かって捻るような形状に形成されてある。このスロット側投入移送傾斜通路82の内部を遊技メダルが転がることにより、遊技メダルは傾斜した状態から鉛直方向に立設する状態へ、自然に傾斜角度を変更するように形成されている。そして、スロット側投入移送傾斜通路82から排出された遊技メダルは、メダル投入口42の内部へ投入されるものである。
なお、本実施の形態では、投入移送通路80は、上昇メダル排出口210からメダル投入口42へ連通して、遊技メダルが直接、メダル投入口42へ投入されるように形成されている。しかし、投入移送通路80は、上昇メダル排出口210から、メダルセレクター48へ連通するように形成して、遊技メダルが、直接、メダルセレクター48へ投入されるように形成しても良いものである。また、投入移送通路80は、上昇メダル排出口210と、メダル投入口42からメダルセレクター48までの遊技メダルの経路の途中とを接続するように連通したものでも良いものである。すなわち、投入移送通路80が、遊技機Sの内部に入り込むように形成されて、その投入移送通路80の端部が、メダル投入口42とメダルセレクター48との間の経路に接続するように形成されているものである。かかる場合も、その経路の途中に投入された遊技メダルは、かかる経路に沿って、メダルセレクター48まで案内されることとなる。
【００５６】
（作用）
本実施の形態に係るメダル貸し出し機200は、メダル貸し出し機200の下部の上昇投入皿230から遊技メダルを手で掴んで、上方のメダル投入口42まで持ち上げる必要がなく、遊技メダルの投入作業を容易なものにすることができる。
また、上昇投入皿230内部の遊技メダルは、上昇装置220及び投入移送通路80を経て、遊技機Sのメダル投入口42に投入されるため、遊技者が遊技メダルに手を触れる頻度を抑えることができる。これにより、遊技メダルに付着した油や、汚れが手に付いて、遊技者の手が汚れることを抑えることができる。
【００５７】
また、メダル貸し出し機200から貸し出された遊技メダルは、直接、遊技機Sのメダル投入口42へ投入されるのではなく、一端、メダル貸し出し機200の下部の上昇投入皿230へ投入される。このため、遊技メダルが全く遊技者側に払い出されずに直接、遊技機の内部に投入されることを望まずに、メダル貸出機から貸し出された遊技メダルをいったん遊技者側の手元に払い出させて、枚数等を確認したいと望む遊技者の希望を叶えることができる。
また、メダル貸し出し機200の下部の手前側に設けられた上昇投入皿230は、メダル貸し出し機200に対して脱着自在に形成されている。このため、複数の遊技機Sの間に配置したメダル貸し出し機200の上昇投入皿230が、隣の遊技機Sの扉3を開放したときに邪魔になることを回避することができる。
【００５８】
（他の実施形態）
本願発明は、上述したような遊技媒体として円板状の遊技メダルを使用する複数のスロットマシンの間に配置してかかる遊技メダルを遊技者に貸し出すためのメダル貸し出し機に限定されるものではない。例えば、遊技媒体として、円板状の遊技メダルではなく、パチンコ遊技機に使用されるパチンコ球等の球状の遊技球を使用する、複数のいわゆるパロットの間に配置して、かかる遊技球を遊技者に貸し出すための遊技媒体貸し出し機にも、上述したものと同様に利用することができる。
パロットは、パチンコ玉としても使用可能な球状の金属球である遊技球を用いて、スロットマシンと同様の遊技を行わせる遊技機である。以下、このパロットに隣接して、このパロットに遊技球を貸し出す遊技媒体貸し出し機に本願発明を適用した場合について、説明する。なお、本実施の形態に係る遊技媒体貸し出し機は、上述したスロットマシンに隣接するメダル貸し出し機で説明したものと同様の部品には、同一の部品番号を付与して、以下に説明する。
【００５９】
パロットは、特に図示しないが、筐体の正面に回転リールの図柄を視認可能な表示窓31が形成されてある。そして、この表示窓31の下方であってパロットの略中央部は、スタートスイッチ34やストップスイッチ36等の操作手段が設けられた操作部41が形成されている。この操作部41の上部には、パロット内部へ投入するための遊技球を一時貯留しておくための上皿と、この上皿の上部に位置して、遊技の結果、入賞により遊技球が上皿内部に払い出される遊技媒体排出口と、上皿の下部に位置して、遊技開始の条件としての遊技球をパロット内部に投入するための遊技媒体投入口42とが設けられている。そして、筐体の下部には、上皿に貯留された遊技球を落下移動させて貯留しておくための下皿が形成されている。また、下皿の上部には、パロット内部から下皿内部に遊技球を排出するための下皿排出口が形成されている。なお、遊技者の操作により、上皿に貯留した遊技球を、遊技機内部を通って下皿排出口から下皿へ移動させることができるように形成されてあり、また、上皿が遊技球で一杯になり、上皿の遊技媒体排出口からの遊技球が上皿へ払い出されないような場合には、かかる払い出しの遊技球は、上皿への通路の途中から溢れて、下皿排出口を介して下皿へ払い出されるように形成されている。
【００６０】
そして、上皿に遊技球を入れると、この遊技球は、上皿の底部に設けられて、パロット内部に連通する遊技媒体投入口42に転がって移動する。この遊技媒体投入口42は、上述した実施の形態で説明したメダル投入口42に相当するものである。そして、操作部41のベットスイッチ35を操作すると、遊技媒体投入口42から遊技球が所定の個数だけ投入され、遊技が開始可能となる。そこで、スタートスイッチ34の操作により回転リールを回転させ、ストップスイッチ36の操作により回転リールを停止させる。このとき、複数の回転リールに表示された図柄が所定の位置態様に停止すると入賞となり、所定の個数の遊技球が遊技媒体排出口から上皿へ払い出される。
【００６１】
ここで、パロットの筐体1は、正面と背面とが開口する枠部材であり、遊技場のいわゆる島と呼ばれる設備に並列して固定されているものである。島の内部には、特に図示しないが、入賞した際に払い出すための入賞玉を供給したり、投入玉を吸引する玉循環装置が設けられてあり、筐体1と筐体1との間には、遊技媒体貸し出し機200が設置されている。遊技媒体貸し出し機200は、紙幣投入口251から紙幣を投入すると、この金銭と引き替えに、遊技球を貸し出すものである。
本実施の形態に係る遊技媒体貸し出し機200は、遊技媒体としての球状の遊技球を遊技媒体投入口42に投入することを条件として遊技を開始する複数のパロットの間に配置して遊技媒体を遊技者に貸し出すためのものである。この遊技媒体貸し出し機200は、遊技媒体貸し出し機200から払い出された遊技球を、パロットの上皿内部の遊技媒体投入口42へ投入するための遊技媒体自動投入装置205を備えている。この遊技媒体自動投入装置205は、遊技媒体貸し出し機200の下部の手前側に設けられ、遊技球を受けるための上昇投入皿230と、遊技媒体貸し出し機200の下部に形成され、上昇投入皿230に投入された遊技球を遊技媒体貸し出し機200の本体内部に投入するための上昇投入口270と、上昇投入口270から投入された遊技球を上方に移送するための上昇装置220と、遊技媒体貸し出し機200の上部外側に面して上昇装置220で上昇させた遊技球を外部に排出するための上昇遊技媒体排出口210と、上昇遊技媒体排出口210から排出された遊技球を、上皿内部の遊技媒体投入口42に移送するための投入移送通路80とを備えている。そして、上昇投入皿230を、遊技媒体貸し出し機200に対して脱着自在に形成してあるものである。
【００６２】
具体的には、上述した遊技メダルを使用したスロットマシンの実施の形態の説明における上述したメダル投入口42の代わりに、上皿の底部にあって遊技球を内部に投入するための遊技媒体投入口42が使用され、スロットマシンにおけるメダルセレクター48の代わりに適正な遊技球を選別する遊技媒体セレクター48が使用され、上述したメダル自動投入装置205の代わりに、遊技球を自動投入させるための遊技媒体自動投入装置205が使用され、上述した貸し出しメダル排出口240の代わりに、遊技者に貸し出す遊技球が排出可能な貸し出し遊技媒体排出口240が使用され、上述した貸し出しメダル払い出し装置260の代わりに、遊技者に遊技球を貸し出すために、紙幣投入を条件として所定個数の遊技球を払い出すことが可能な貸し出し遊技媒体払い出し装置260が使用されている。
【００６３】
ここで、貸し出し遊技媒体払い出し装置260を構成する各部品は、遊技媒体が移動する各通路断面の内部の寸法形状が、遊技メダルの場合と比較して、球状の遊技球が移送可能な幅寸法と高さ寸法とを有し、全体として略正方形状の断面形状に形成されているものである。そして、貸し出し遊技媒体払い出し装置260の各部品は、その作用及び効果は、上述した遊技メダルの払い出しや移送が可能な貸し出しメダル払い出し装置260と同様に形成されているものである。
すなわち、下部排出口通路243は、遊技球が移動できるような寸法形状に形成されている。また、サンド側投入移送傾斜通路81及びスロット側投入移送傾斜通路82からなる投入移送通路80も、同様に、球状の遊技球が、その内部を転がって移動できるような寸法形状の断面形状に形成されているものである。なお、スロット側投入移送傾斜通路82は、遊技メダルの場合は、縦に立設させるためにその通路内部が少しずつ捻れた状態に形成されていたが、本実施の形態では、球状の遊技球を使用しているので、縦に立設させる必要がないため、通路内部を少しずつ捻れさせる必要がなく、そのままの角度で、遊技媒体投入口42付近の下皿内部へ差し込まれている。
【００６４】
ここで、上述した遊技メダルを使用するメダル自動投入装置205では、遊技メダルを送出するための回転ディスクである下部送り出し円板234が使用されていたが、本実施の形態における遊技球を使用する遊技媒体自動投入装置205では、特に図示していないが、かかる回下部送り出し円板234の代わりに、周囲に遊技球を収納可能な凹状の窪みを有するスプロケットを使用している。このスプロケットは、スプロケットの周囲の窪みに遊技球を収納して、１個ずつ強制的に上昇装置220へ向かって送出可能に形成されている。また、上述したメダル自動投入装置205における円板状の遊技メダルを起立させるためのメダル立設装置235は、本実施の形態に係る遊技媒体自動投入装置205では、球状の遊技球を使用するため不要であり、有していない。すなわち、スプロケットにより強制的に送出された遊技球は、所定通路を経て、上昇装置220内部に送出されるように形成されている。
【００６５】
図１５は、遊技球を使用するパロットにおける遊技媒体の上昇装置を示す横断面図である。上昇装置220は、遊技媒体貸し出し機200の内部に位置して、上昇投入皿230内部の遊技媒体を上方に向かって移送するためのものである。具体的には、この上昇装置220は、図１５に示すように、全体形状が略四角筒状であって鉛直方向に立設する四角筒部221と、この四角筒部221の中心に位置して回転可能な回転軸部222と、この回転軸部222を回転させるための駆動モーター（図示せず）とを備えているものである。そして、回転軸部222が回転することにより、球状の遊技球を、四角筒部221と、回転軸部222と、螺旋部223との間の空間を上方に向かって、螺旋部223に沿って移送させることができるものである。この上昇装置220の内部通路も、図１５に示すように、遊技メダルの代わりに、球状の遊技球が上方へ移動できるような寸法形状に形成されているものである。
【００６６】
その他の具体的な構成は、上述した遊技メダルを使用するメダル貸し出し機200で説明したものと同様であって、同一の作用及び同一の効果を奏するものであり、それらと同様の部品は、説明を省略する。
なお、当該パロットでは、上述した遊技メダルの投入や、払い出しにおける遊技メダル１枚が、パチンコ玉としても使用可能な当該遊技球の５個に相当するように設定されているものである。もちろん、この換算率に限定するものではなく、他の換算率に設定しても良いものである。
上述したように、本実施の形態に係る遊技媒体貸し出し機200では、遊技媒体として、円板状の遊技メダルではなく、パチンコ遊技機等で使用する球状の金属球からなる遊技球を使用している。そして、本実施の形態では、遊技球を使用するがための遊技媒体の通路形状の構造上の若干の違いを除いて、その他の基本的な構成は、遊技メダルを使用するメダル貸し出し機200で説明したものと同様である。この遊技球を使用する遊技媒体貸し出し機200も、遊技メダルを使用するメダル貸し出し機200の場合と、同様の作用を有し、同様の効果を有するものである。ただ、遊技媒体が、円板状の遊技メダルから、パチンコ機等に使用される球状の遊技球であることから、それに適応すべく形成されているものである。
【図面の簡単な説明】
【００６７】
【図１】本発明の実施の形態であって、遊技機及びメダル貸し出し機を示す外観斜視図である。
【図２】本発明の実施の形態であって、メダル貸し出し機を示す外観斜視図である。
【図３】本発明の実施の形態であって、隣接する遊技機の扉を開放した状態を示す外観平面図である。
【図４】本発明の実施の形態であって、遊技機及びメダル貸し出し機を示す外観平面図である。
【図５】本発明の実施の形態であって、上昇投入皿を外した状態のメダル貸し出し機及び遊技機を示す外観側面図である。
【図６】本発明の実施の形態であって、メダル貸し出し機及び遊技機を示す外観側面図である。
【図７】本発明の実施の形態であって、複数の遊技機の間にメダル貸し出し機を配置した状態を示す外観正面図である。
【図８】本発明の実施の形態であって、投入移送通路を示す外観正面図である。
【図９】本発明の実施の形態であって、上昇メダル排出口周辺を示す部分縦断面である。
【図１０】本発明の実施の形態であって、メダル投入口を示す部分縦断面図である。
【図１１】本発明の実施の形態であって、メダル貸し出し機及び遊技機を示す外観正面図である。
【図１２】本発明の実施の形態であって、下部送り出し円板を示す概略平面図である。
【図１３】本発明の実施の形態であって、メダル立設装置を示す概略図である。
【図１４】本発明の実施の形態であって、上昇装置を示す横断面図である。
【図１５】本発明の他の実施の形態であって、上昇装置を示す横断面図である。
【符号の説明】
【００６８】
S  遊技機                              1  筐体
3  扉                                  5  払い出し装置
30  上扉                                31  表示窓
32  表示装置                            33  飾り部
34  スタートスイッチ                    35  ベットスイッチ
36  ストップスイッチ                    40  下扉
41  操作部                              42  メダル投入口（遊技媒体投入口）
43  払い出しメダル皿                    44  鍵穴
45  払い出し排出口                      46  立設壁
47  投入スイッチ                      48  メダルセレクター（遊技媒体セレクター）
49  自動投入スイッチ                    50  前パネル
51  投入口傾斜面                        80  投入移送通路
81  サンド側投入移送傾斜通路            82  スロット側投入移送傾斜通路
90  貸し出し移送部                      91  貸し出し移送連通路
200  メダル貸し出し機（遊技媒体貸し出し機）
205  メダル自動投入装置（遊技媒体自動投入装置）
210  上昇メダル排出口                  211  傾斜通路挿入口
212  排出ボックス                      220  上昇装置
221  四角筒部                          222  回転軸部
223  螺旋部                            225  メダル孔
226  ピン                              230  上昇投入皿
232  上部送り出し円板                  234  下部送り出し円板
235  メダル立設装置                    236  投入皿上部傾斜面
237  投入皿下部傾斜面                  238  投入皿後方開口部
240  貸し出しメダル排出口（貸し出し遊技媒体排出口）    243  下部排出口通路
250  紙幣カウンター                    251  紙幣投入口
260  貸し出しメダル払い出し装置（貸し出し遊技媒体払い出し装置）
261  貸し出しホッパー                  270  上昇投入口
【図１】
2005185820.tif 000003
【図２】
2005185820.tif 000004
【図３】
2005185820.tif 000005
【図４】
2005185820.tif 000006
【図５】
2005185820.tif 000007
【図６】
2005185820.tif 000008
【図７】
2005185820.tif 000009
【図８】
2005185820.tif 000010
【図９】
2005185820.tif 000011
【図１０】
2005185820.tif 000012
【図１１】
2005185820.tif 000013
【図１２】
2005185820.tif 000014
【図１３】
2005185820.tif 000015
【図１４】
2005185820.tif 000016
【図１５】
2005185820.tif 000017